(57)【要約】 【課題】   従来の靴下着用器具は、靴下を装着した器具の位置が決めにくく、靴下に足を入れにくく、器具と靴下の間の固着力を調節しにくいため、腰の運動が不自由な人が容易に靴下を履くことができなかった。【解決手段】 靴下の口の部分を柄のついたリングとこれに付属したマジックテープ（フック面）で靴下の口を広げた状態にて一時的に固着し、この中へ足を入れ、柄を持ってコントロールしつつリングごと靴下を引き上げ、または足を押し込んで足に靴下を被せることによって靴下を履くことができるようにする。【選択図】 図１
2005256239.tif 000002
【特許請求の範囲】
【請求項１】
靴下を一時的に固着する部材を備えたリングとこれを保持するための柄を備えた靴下着用補助具。
【発明の詳細な説明】
【技術分野】
【０００１】
本発明は、腰痛症、リューマチ、肥満症等のために足、腰の運動が不自由な人が靴下を履く際に用いる靴下着用補助具に関する。
【背景技術】
【０００２】
従来、ソックスエイド、靴下着用具等の名称のものがあるが 、これらは靴下に器具を入れて靴下に器具に引っかかりを持たせ、その器具に足を入れた状態で靴下を器具とともに引くことによって、靴下を足にかぶせるものである。
【発明の開示】
【発明が解決しようとする課題】
【０００３】
しかしながら、上記従来のものは、（イ）靴下を引っ掛けた器具を紐で引っ張るため、器具に足を入れなければならないが手は紐を引くのにとられておりまた片手があいていても腰が不自由では器具を手で押さえることが困難である。従って、この足を器具に入れる際に器具を押さえる手段が無いために、足が器具に触れると器具が逃げてしまい足を入れにくいという問題がある。
【０００４】
（ロ）また靴下を引っ掛けた器具を引っ張る手段が紐であるため引っ張る方向以外に力を加えられないので器具を押したり、方向を変えたりすることができず靴下を適切に足に被せることが難しい。
【０００５】
（ハ）また靴下を引っ掛ける手段が器具の凹凸の形状による靴下との摩擦によるため引っかかる力の調節が難しく滑りやすい。
【０００６】
そこで、本発明は、靴下の生地の種類やゴム編みもしくはゴムの強さに影響されることなく靴下に足が入れやすく、靴下を容易に足に被せることができる靴下着用補助具を提供することを課題とする。
【課題を解決するための手段】
【０００７】
靴下の口の部分足が入りやすいように広げた状態で柄のついたリングに付属する固着用の部材（例えばマジックテープのフック面）に一時的に固着し、足を靴下の口から靴下内へ挿入する。このとき足の挿入がしやすいようにリングを柄により案内してやることにより容易に靴下を足にかぶせ、靴下を履かせることができる。さらに、靴下と足の間の摩擦を これらの間に布等を介在させて絶つことによりスムースに足を靴下に挿入できるようにしてもよい。
【発明の効果】
【０００８】
本発明によれば、靴下を一時的に固着する部材を備えたリングにより靴下を一時的に固着し、靴下の口を広げ、柄により口の位置を調節できるため足を靴下に入れやすく、また靴下を一時的にリングに固着してこれを保持する柄を使って操ることができるので足に靴下を被せやすい。
【０００９】
また、固着する部材にかぶせる靴下の面積を変えることで靴下を固着する力を加減できるので、口のきつい靴下でもゆるい靴下でも、生地の厚い靴下でも薄い靴下でも適切な力で固着することが出来る。
【発明を実施するための最良の形態】
【００１０】
本発明にかかる靴下着用補助具は、柄のついたリングの内側およびまたは外側にマジックテープ（フック面）を備えている。
【実施例１】
【００１１】
「実施形態の効果」
柄のついたリングの内側およびまたは外側にマジックテープ（フック面）が取り付けられた靴下着用補助具（図１参照）においてリングの中央に靴下を位置させ、靴下の外側をマジックテープ（フック面）に押し付けることで靴下をリング内側に一時的に固着させることにより靴下はマジックテープ（フック面）によりリング形状に合わせて足を入れる口を開いた状態になる。
【００１２】
柄を把持してリングをコントロールしながらこの口の中に足を案内し、柄を介して力、方向を加減し、押したり引いたりしてコントロールしながら足を靴下の先まで足を入れる。そのまま足を押し込んでいき靴下の口がマジックテープ（フック面）から外れ、リングから外れるまで押していく。靴下が靴下着用具から完全に外れると足は靴下を履いた状態になる。
【００１３】
このように、靴下の口を広げ、柄により口の位置を調節できるため足を靴下に入れやすく、また靴下を柄を使って自在に操ることができるので靴下を容易に履くことができる。
【００１４】
靴下の生地が厚かったり、ゴム編みもしくはゴムがきつくて足と靴下との摩擦が大きくて履きにくい靴下を履こうとするときは、靴下の口の部分をリングより上に出し、折り返してリングの外側のマジックテープ（フック面）にも押し付けるとより強く固着でき、足を押し込むときに靴下がリングから外れるのを防ぐことができる。
【００１５】
靴下を、リングに一時的に固着させる作業をし易くするために、柄の下部にリングの外側よりも幅のある左右に突き出した腕をとりつけて、膝にはさんで固定して作業できるようにしても良い。
【００１６】
柄の下端を伸ばして足で踏み押さえることが出来る板と自在かぎで連結し、靴下をリングにセットする際に足で踏み押さえて柄を固定して、靴下をリングに一時的に固着させる作業をし易くするようにしても良い。
【実施例２】
【００１７】
本発明にかかる靴下着用補助具は、柄のついたリングの内側およびまたは外側にマジックテープ（フック面）を備え、リングの下部にスカートを備えている。
【００１８】
「実施形態の効果」
柄のついたリングの下部に布状のスカートがリング形状に従って付属した靴下着用補助具において（図２参照）スカートを柄の長手方向に平行に巻いた状態で先端を指でつまみ、そのまま残る手で持った靴下の中へスカートの先端が靴下の先端に達するまで押し込む。靴下の足を入れる口の部分の内側ををリングの外側についたマジックテープ（フック面）に押し付けて一時的に固着する。
【００１９】
靴下に足を入れるときの摩擦力で引っ張られるのにに負けないように柄を押さえながらスカートの中に足を入れる。柄を把持して力、方向を加減しながら押し引きしてリングとスカートを靴下の中から引き上げる。マジックテープ（フック面）が靴下の口の部分からはずれるまで引っ張る。リングとスカートが靴下から抜けてしまうと足は靴下を履いた状態になる。
【００２０】
このように、靴下の口を広げ、柄により口の位置を調節できるため足を靴下に入れやすく、また靴下を柄を使って自在に操ることができ、さらにスカートが足と靴下の間の摩擦を絶つので靴下を容易に履くことができる。
【００２１】
スカートは、柔らかい布でも硬い布、でも足を靴下に入れる際にまたスカートを靴下に入れる際に扱いやすい材料を使えばよい。また足の形や足の動きに合わせた形状のプラスチックでもよい。いずれにしてもスカートの表面は足のすべりがよいような形状、例えば適当に荒れているほうがよい。
【００２２】
本靴下着用補助具を使用するにあたって、靴下に足を入れるときは、このとき靴下に入れる足の向きはリングの切れ目がつま先側になっても、かかと側になってもかまわない。使う人の足の形状や動作の癖、身体の機能状態により使いやすい向きでよい。
【００２３】
柄を把持する手は右手でも左手でもよい。靴下をリングに取り付けるとき（実施例１）、またはスカートを靴下に押し込むとき（実施例２）、靴下の口の部分に指をかけてリングの切れ目の方向へ広げるように引っ張ると靴下に足を入れるときに靴下の口が楽に開く。
【００２４】
「他の実施形態」
以上において、マジックテープ（フック面）は短いパイルを傾斜させた傾斜パイル生地もしくは粘着テープのようにのような相手の生地を一時的に固着できるものであればよい。また靴下着用補助具は立って使用しても座って使用してもよい。
【００２５】
靴下の生地が厚かったり、ゴム編みもしくはゴムがきつくて足と靴下との摩擦が大きく、相対的にマジックテープ（フック面）の固着力が弱く足を押し込むと靴下がリングから外れてしまい履きにくい靴下の場合は、リングに付属したマジックテープ（フック面）の面積を大きくすればよい。即ち、このような靴下や生地が薄かったり、ゴム編みもしくはゴムが弱い靴下にも適するようにマジックテープ（フック面）の面積を調節できるようにするとよい。マジックテープ（フック面）を覆う可動式のカバーをつけ、必要に応じてカバーを開閉して露出するマジックテープ（フック面）の面積を調節する。
【００２６】
マジックテープ（フック面）とリングの間に発泡樹脂、スポンジ、ゴム、気体などの流体が入った風船のような弾力性のある部材を挟むことにより、靴下に足を入れた際に靴下とマジックテープ（フック面）の接触を助けるため固着力を有効に利用できるようになる。
【００２７】
固着部材は、クリップや洗濯バサミのような構造のものでもよく、また遠隔操作で靴下を掴む・放すの動作ができものでも良い。
【図面の簡単な説明】
【００２８】
【図１】本発明の靴下着用補助具の実施例1の斜視図
【図２】本発明の靴下着用補助具の実施例1を用いて靴下を着用する状態を示す斜視図
【図３】本発明の靴下着用補助具の実施例2の斜視図
【図４】本発明の靴下着用補助具の実施例2を用いて靴下を着用する状態を示す斜視図
【符号の説明】
【００２９】
１  柄
２  リング
３  固着用部材
４  スカート
【図１】
2005256239.tif 000003
【図２】
2005256239.tif 000004
【図３】
2005256239.tif 000005
【図４】
2005256239.tif 000006